(57)【特許請求の範囲】
【請求項１】
内視鏡と、複数の周辺装置と、前記複数の周辺装置を集中的に制御する集中制御手段とを有する内視鏡装置において、
集中制御装置と周辺装置及び周辺装置相互を接続する複数の配線を前記内視鏡装置に対しユニットで組み込み可能な配線ユニットを設けたことを特徴とする内視鏡装置。
【発明の詳細な説明】
【０００１】
【発明の属する技術分野】
本発明は、内視鏡と複数の周辺装置とこれら複数の周辺装置を集中的に制御する集中制御手段を有し、制御装置と周辺装置相互を接続する複数の配線から成る配線ユニットを設けた内視鏡装置に関する。
【０００２】
【従来の技術】
医療用分野において、内視鏡を用いて診断あるいは治療・処置を行う場合、内視鏡検査に必要な内視鏡、光源装置など各種装置をラックなどにひとまとめにして内視鏡装置を構成していた。
【０００３】
近年、ドクタが主に操作する各種装置や、ナースが操作する各種装置をそれぞれユニット化し、それらを一カ所に集約して各装置の制御を行い、診断及び操作性を向上させた内視鏡システムがある。
【０００４】
この様な内視鏡装置ではメインの制御装置を含むユニットとそれに制御される各種観察・治療装置とそれぞれについて電源ケーブルや信号ケーブルなど複数のハーネスで接続している。
【０００５】
【発明が解決しようとする課題】
しかしながら、上記ケーブル類は各装置ごとに全て単独で用意されていたため、内視鏡装置を組立る際、ケーブルを一本ごと確認しながら各装置間を接続しなければならなかった。又、医療施設への設置のため移動する際もケーブルを一本ごと持ちにくい状態で運ぶ必要があった。
【０００６】
本発明は上記事情に鑑みてなされたものであり、制御装置と複数の周辺装置を接続して成る内視鏡装置において、それぞれ装置間のケーブルの接続等を簡単に行うことができる内視鏡装置を提供することを目的としている。
【０００７】
【課題を解決するための手段】
本発明の内視鏡装置は、内視鏡と複数の周辺装置とこれら複数の周辺装置を集中的に制御する集中制御手段を有する内視鏡装置であって、制御装置と周辺装置及び周辺装置相互を接続する複数の配線を前記検査装置に対しユニットで組み込める構成にしてある。
【０００８】
この構成によれば、上記内視鏡装置を組み立てる際、各装置間を接続するケーブルをいちいち確認することなしに簡単に組み立てられ、又、設置時の移動もユニットなので簡単に運ぶことができ、内視鏡装置組立の際のわずらわしさを改善できる。
【０００９】
【発明の実施の形態】
以下、図面を参照して本発明の実施の形態を具体的に説明する。
（第１の実施の形態）
図１ないし図１２は本発明の第１の実施の形態に係り、図１は第１の実施の形態の内視鏡装置の全体構成を示し、図２は照明灯の構成を示し、図３はモニタスタンド内の収納物を示し、図４はモニタスタンドの背面側からベッド台座を含む内視鏡装置を示し、図５は上カバーを外してモニタスタンドの背面側からベッド台座を含む内視鏡装置を示し、図６はユニット本体とモニタスタンドとを接続するケーブルユニットの構造を示し、図７は２つの上カバーの接続部の構造を示し、図８はベッド台座のスロープと床面との間の構造を示し、図９はベッドの構成を示し、図１０は写真撮影装置の写真撮影用開口部周辺の構造を示し、図１１は写真撮影用開口部を遮光板で開閉する機構を示し、図１２は吸引ボトルが載置される受け皿を示す。
【００１０】
図１に示すように本発明の第１の実施の形態の内視鏡装置１はユニット本体２と、このユニット本体２の付近に配置され、術者が診察する診察台としての検査用ベッド（以下ベッドと記す）３と、このベッド３の付近に術者とベッド３をはさむように配置されるモニタスタンド４と、このモニタスタンド４の上部の回転モニタ台４ａに配置された術者観察用のメインモニタ５と、モニタスタンド４に設けられたモニタ取付部に接続されたモニタ台７ａを介して設置された患者用モニタ７と、モニタスタンド４とユニット本体２をつなぐベッド台座６と、ユニット本体２に設けた内視鏡ハンガ９に掛けられた内視鏡８から構成される。
【００１１】
内視鏡８は細長の挿入部１１とこの挿入部１１の後端に設けた操作部１２と、この操作部１２の側部から延出されたユニバーサルコード１３とを有する。
ユニット本体２には内視鏡８に照明光を供給する図示しない光源装置、内視鏡８に内蔵された撮像手段に対する信号処理を行うビデオプロセッサ、内視鏡的処置をするための電気メス等の周辺装置と、これらの装置を集中的に制御する集中制御装置、術者が立つ位置に近い部分に配置された集中操作部１０とが設けてあり、術者はこの集中操作部１０を操作することにより集中制御装置を介して、光源装置、ビデオプロセッサ、電気メス装置などのユニット本体２内の周辺装置及びモニタスタンド４側のＬＥＤ表示器２２等の周辺装置の機能を集中制御等することができるようにしている。
【００１２】
また、ナースの作業エリア１７にはこの作業エリア１７を照明する照明灯１９がある。この照明灯１９は図２に示すように端子台１９ａに接続された冷陰極管１９ｂで形成され、この冷陰極管１９ｂは図示しない電源部より電気が供給されることにより発光する。端子台１９ａと冷陰極管１９ｂの間には温度ヒューズ１９ｃが接続しており、冷陰極管１９ｂの劣化による温度上昇による破損を防いでいる。
【００１３】
ベッド３にはマットレス５９が載置されたベットフレーム６０の下に設けられた図示しないガイドにより出し入れする引き出し１８が設けてあり、小物を収納できるようになっている。又、ベッドサイドには折り畳み可能なサイドガード２１が設けてあり、図示しないフックを解除することにより折り畳めるようになっている。
【００１４】
モニタスタンド４の上部の術者観察用のメインモニタ５の下の回転モニタ台４ａにおけるベッド側の面にはＬＥＤ表示器２２が設けてある。また、このモニタスタンド４の裏面には図３に示すように数種の扉４ｂ、４ｃが設けられており、上部側の扉４ｂの中には血圧計プローブ２３とそれに接続する血圧計カフ２４と、血中酸素を計測するパルスオキシメータプローブ２５とが収納されている。
【００１５】
下側の扉４ｃ内には内視鏡８の吸引チャンネルを介して吸引した吸引物を収納する吸引ボトル２６が収納されている。ＬＥＤ表示器２２には前記プローブ２３、血圧計カフ２４、パルスオキシメータプローブ２５により測定された血圧、血中酸素等がユニット本体２の図示しない制御部を介して表示される。また、ユニット本体２の集中操作部１０の操作により各周辺装置の動作状態もＬＥＤ表示器２２で表示できるようにしてある。
【００１６】
図４はモニタスタンド４の背面側からユニット本体２及びベッド台座６側を見た斜視図を示す。このベッド台座６の上カバーの下側のフレーム３５内には配線用の複数のケーブルを収納したケーブルユニット（或いは配線ユニット）２７が収納され、このケーブルユニット２７によりユニット本体２とモニタスタンド４との電気的な接続等を簡単に行うことができるようにしている。
【００１７】
つまり、図５に示すようにベッド台座６の上カバーを外した状態ではユニット本体２の底部付近の総合コネクタ部２８と、モニタスタンド４の底部付近の総合コネクタ部２９とはフレーム３５内に配置したケーブルユニット２７によって電気的な接続等が行われるようにしている。
【００１８】
図６（Ａ）はユニット本体２とモニタスタンド４とを接続するケーブルユニット２７の構造を示す。図６（Ｂ）は図６（Ａ）のＡ−Ａ線拡大断面を示している。
モニタスタンド４の総合コネクタ部２９を形成し、例えば直線上に沿ってそれぞれ配置されたコネクタ２９ａ，２９ｂ，２９ｃ，２９ｄ，２９ｅはモニタスタンド４内に挿通されるケーブルを介してメインモニタ５、ＬＥＤ表示器２２、患者用モニタ７、各種プローブ２４、２５と接続されている。また、吸引ボトル２６と接続されたチューブの中継コネクタ３１が設けてある。
【００１９】
一方、ユニット本体２の総合コネクタ部２８を形成し、例えば直線上に沿ってそれぞれ配置されたコネクタ２８ａ，２８ｂ，２８ｃ，２８ｄ，２８ｅはそれぞれケーブルを介してユニット本体２内のビデオプロセッサ、集中制御装置等と接続されている。また、ユニット本体２内の吸引装置と接続されたチューブの中継コネクタ３２が設けてある。
【００２０】
そして、両総合コネクタ部２８、２９の各コネクタにベッド台座６に収納したケーブルユニット２７内のケーブル２７ａ，２７ｂ，２７ｃ，２７ｄ，２７ｅをそれぞれ接続することにより、モニタスタンド４側の周辺装置としてのメインモニタ５、ＬＥＤ表示器２２、患者用モニタ７、各種プローブ２４、２５はユニット本体２内のビデオプロセッサ等の周辺装置及び集中制御装置と電気的に接続される。
【００２１】
この場合、ケーブルユニット２７内のケーブル２７ａ，２７ｂ，２７ｃ，２７ｄ，２７ｅの配置順はそれぞれが接続されるコネクタ２８ａ，２８ｂ，２８ｃ，２８ｄ，２８ｅ及び２９ａ，２９ｂ，２９ｃ，２９ｄ，２９ｅの配置順と同じであり、従って簡単に各ケーブルとコネクタとを接続することができる。
【００２２】
それぞれが接続されるべきものが対応するようにコネクタ側とケーブル側との配置順を一致させているので、簡単に接続することができるが、さらにコネクタ側とケーブル側とを色分けして接続されるべきコネクタとケーブルとが同じ色となり、接続されるべきでないコネクタとケーブルとは異なる色となるようにして、より接続の際の誤接続を防止するようにしても良い。
【００２３】
また、本実施の形態ではこのケーブルユニット２７内にもチューブ３３が設けてあり、このチューブ３３を中継コネクタ３１、３２に接続することにより、モニタスタンド４に収納された吸引ボトル２６はユニット本体２側の吸引装置と接続される。
【００２４】
このようにベッド台座６内を通る各種ケーブル２７ａ，２７ｂ，２７ｃ，２７ｄ，２７ｅとチューブ３３はユニット本体２のコネクタ２８ａ，２８ｂ，２８ｃ，２８ｄ，２８ｅ、３２とモニタスタンド４のコネクタ２９ａ，２９ｂ，２９ｃ，２９ｄ，２９ｅ、３１の位置が一対一に対応するようにベッド台座６のフレーム３５内に収納されるベース部材３６に設けられたダクト３７ａ，３７ｂ，３７ｃ，３７ｄ，３７ｅ、３８、に収納されている。
ベース部材３６は保持用の取っ手３９を有しており、ケーブルユニット２７単体での持ち運びを簡単にできるようにしてある。
【００２５】
ベッド台座６はフレーム３５（より具体的には複数の第１フレーム部材３５ａ，第２フレーム部材３５ｂ）と、その中にセットされる前記ケーブルユニット２７とベッド台座６に対して出入自在なフットスイッチと４０と、それらを覆いかくす複数のカバー４１、４２から構成されている。第１フレーム部材３５ａ及び第２フレーム部材３５ｂには保持用の取っ手４３があり、各フレーム部材単体での持ち運びが簡単にできるようになっている。
【００２６】
また、ベッド台座６のカバー４１、４２には床面との段差をなくすために端部にスロープ４５が設けられており、そのスロープ面には滑り止め用のシート４６が貼られている。
【００２７】
このように、複数の周辺装置を接続する複数のケーブル２７ａ〜２７ｅをユニット化し、かつ取っ手３９を設けたことにより、設置時の移動及び再組立時の作業性を向上させることができる。
【００２８】
また、図７に示すように上カバー４１、４２同士の接続部に立上がり部４７を設け、その接続部には上カバー４１、４２間の隙間を覆う接続レール４８が置かれている。接続レール４８裏面には上カバーの立ち上がり部４７と接するようにゴムシート４９が貼られている。又、上カバー４１、４２と接続レール４８側面との間にもゴムパッキン５０が挿入してある。
【００２９】
また、図８に示すようにフレーム３５（より具体的にはフレーム部材３５ａ、３５ｂ）の外周部には防水パッキン部材４０が固定部材５７、５８を介し、床面とカバーのスロープ４５との間に設けられている。
【００３０】
このように両カバー４１、４２の間の隙間を覆う接続レール４８側面と両カバー４１、４２の間にゴムパッキン５０を、フレーム３５の外周部には防水パッキン部材４０を設ける構造にすることにより、ベッド台座６、及びベッド台座６の床面への水の侵入を防止することができる。
また、図９に示すようにベッド３はＸ線を透過する部材で形成された例えば非金属部材、より具体的には例えばウレタン成型品のマットレス５９と、このマットレス５９の外縁部だけを支えるベッドフレーム６０とで構成されている。
【００３１】
このような構成にして、外縁部の内側に患者が載置されている部分をＸ線透過領域にして、Ｘ線装置を使用しても、（従来例におけるマット内のスプリング等の金属部材に影響されることなく）患者のＸ線画像が得られる。
【００３２】
また、図１０に示すようにユニット本体２には内視鏡８による画像を記録するための写真撮影装置６６を内蔵している。この写真撮影装置６６は内視鏡画像を映し出す図示していないモニタ、及びその撮影をするカメラ６７を含む写真撮影アダプタ６８が取り付く接続マウント部６９を有している。
【００３３】
ユニット本体２のトップテーブル７０には写真撮影アダプタ６８を接続するたの開口部７１が設けられており、写真撮影アダプタ６８にはトップテーブル７０と写真撮影装置６６の隙間をなくす接続アダプタ７２が接続されている。
【００３４】
そして、写真撮影アダプタ接続用開口部７１を以下のように遮蔽板７３で開閉する構成として写真撮影アダプタ６８の交換時に写真撮影アダプタ用開口部７１から写真撮影装置６６内部への水等の侵入を防止できるようにしている。
【００３５】
図１１に示すように写真撮影アダプタ接続用開口部７１を遮蔽するための遮蔽板７３はトップテーブル７０に設けられた２本のガイドレール７４間を摺動できるようになっており、バネ７５により通常は実線で示すように開口部７１を閉じるようになっている。
【００３６】
また、トップテーブル７０に取り付けられた開閉ハンドル７６を矢印で示すように回すと、開閉ハンドル７６に接続された中継部材７７が回転し中継部材７７に設けられたピン７８が遮蔽板７３の溝７９を押し、遮蔽板７３を矢印で示す左側に移動し、遮蔽板７３を２点鎖線の位置まで移動することにより、開口部７１を開くことができるようになっている。
【００３７】
このような構成とすることにより、写真撮影アダプタ６８を取り外した場合には開口部７１はバネ７５により遮蔽板７３で閉じるので、写真撮影アダプタ６８の交換時等にこの開口部７１から写真撮影装置６６内部へ水等が侵入するのを防止できる。
【００３８】
また、本実施の形態では図１２に示すように吸引ボトル２６は吸引ボトル２６内の液量を検知する液量検知ユニット１０１に接続されている受け皿１０２に載っている。受け皿１０２には吸引ボトル２６の直径より少し大きい内径を有する凹部１０３があり、吸引ボトル２６の底部が位置決めして納まるようになっている。
【００３９】
このような構成により吸引ボトル２６の液量検知ユニット１０１の受け皿１０２への位置決めが容易にでき、接続チューブによる影響や吸引中の振動によるボトルの位置ずれを防止でき、正確な液量検知をすることができる。
【００４０】
以上述べたように第１の実施の形態によれば、ユニット本体２側の周辺装置及び集中制御装置とモニタスタンド４側の周辺装置とをユニット化されたケーブルユニット２７により接続（配線）する構造にしているので、両者の接続及び取り外しを簡単かつ短時間に行うことができ、接続性等を改善できるし、誤接続の可能性も低減できる。また、移動して設置する場合にもユニット化しているので、移動或いは運搬が簡単にできる。
【００４１】
なお、図６において、ケーブルユニット２７の各ケーブル端部の配置（ケーブル間の距離なども含む）形状と各ケーブル端部が接続される総合コネクタ部２８、２９の各コネクタとの配置形状を一致させるようにして、より簡単に着脱できるようにしても良い。接続部材としてのチューブ３３の端部も含めてケーブルユニット２７側と、中継コネクタを含めて総合コネクタ部２８、２９側との配置形状を一致させるようにしても良い。
【００４２】
（第２の実施の形態）
次に本発明の第２の実施の形態を説明する。図１３に示すように本実施の形態におけるベッド３は、Ｘ線撮影をする部分（下部検査時の患者の腰周辺部）のみに開口部６５を有する通常のマットレス６４とマットレス６４の外縁部だけを支えるベッドフレーム６０とで構成されている。
なお、マットレス６４はビニールシートにスポンジを詰め込んだものでもよい。
【００４３】
また、Ｘ線撮影をする部分のみワイヤがない構成のマットレスでもよい。その他は第１の実施の形態と同様の構成である。Ｘ線撮影をする部分のみ開口部６５が設けてあるので、この開口部６５を通してＸ線撮影を行えば、他の部分にスプリング等を使用しても、画質の良いＸ線画像が得られる。その他は第１の実施の形態と同様の効果を有する。
【００４４】
（第３の実施の形態）
次に本発明の第３の実施の形態を説明する。図１４に示すように本実施の形態におけるベッド３は、支柱５１を上下、前後させることによりマットレス５９の位置を移動するものである。本実施の形態中のａを付けた位置のマットレス５９及びフレーム６０は、一番高く、且つ後方に寄せたときのベッド３の位置を示し、２点鎖線で示し、ｂを付けた位置のマットレス５９及びフレーム６０は、一番低く且つ前方に寄せたときのベッド３の位置を示している。
【００４５】
上下、前後それぞれについてプログラム的に制限を設けて設定することにより、上下移動範囲Ｖ及び前後移動範囲Ｈを制限する。この構成を図１５に示す。
【００４６】
ＣＰＵ５２より制御し、記憶装置５３にそれらの制限範囲を記憶し、ドライバ５５を介しモータ５６によりベッド３を動かし、位置センサ５４によりその位置を把握し、制御する。ただし、本実施の形態は、位置センサ５４の代わりにカウンタを用い、モータ５６の代わりにステッピングモータを使用しても良く、これらの構成に制限されるものではない。
【００４７】
設定は、集中操作部１０のパネルよりユーザが自由に設定できるようにしている。また、仕様によっては、ユーザにその機能は知らせずに、暗証番号等を設け、出荷時もしくは、設置時に生産者が、設定をして勝手にユーザが設定を変更できないようにしても良い。
【００４８】
また、その設定は、集中操作部１０のパネルからではなく。ユニット本体２の中に設置されている制御装置に直接キーボードを接続して、設定を行っても良い。また、その設定値は、ＲＯＭで用意しても良い。
【００４９】
また、その設定値の一部だけを可変としても良く、さらにユーザが設定できるのは、例えば前後のみで、生産者のみ上下の位置を設定できるようにしても良い。その他の構成は第１の実施の形態と同様である。
【００５０】
このように患者を支持する部分に金属部材を使用していないため、下部検査時等、Ｘ線使用時に見やすいＸ線画像を提供できる。
また、ユーザの好みや、生産者が考える仕様及び安全性の観点からベッドの移動範囲を可変する事ができるので、より使い易く安全な電動ベッドを提供できる。また、その他の効果は第１の実施の形態と同様である。
【００５１】
（第４の実施の形態）
次に本発明の第４の実施の形態を説明する。図１６に示すようにユニット本体２のトップテーブル７０には写真撮影アダプタ６８を接続するたの開口部７１が設けられており、写真撮影アダプタ６８にはトップテーブル７０と写真撮影装置６６の隙間をなくす接続アダプタ７２が接続されている。
【００５２】
そして、写真撮影アダプタ接続用開口部７１を以下のように遮蔽板８０で開閉する構成として写真撮影アダプタ６８の交換時に写真撮影アダプタ用開口部７１から写真撮影装置６６内部への水等の侵入を防止できるようにしている。
【００５３】
図１７はこの遮蔽板８０の斜視図を示す。図１６に示すように本実施の形態における遮蔽板８０は周縁部に回転軸８１を有しており、トップテーブル７０上の開口部７１近くに設けられた軸受け部８２を中心に回動するように取り付けられている。
【００５４】
回転軸８１には遮蔽板８０が開口部７１を被うように付勢するバネ８３が取り付けてある。また、遮蔽板８０には開閉用ハンドル８４が取り付けてあり、マミュアルで開口部７１を開くことができるようになっている。その他の構成は第１の実施の形態と同様である。
【００５５】
このような構成とすることにより、写真撮影アダプタ６８を取り外した場合には開口部７１はバネ８３により遮蔽板８０で閉じるので、写真撮影アダプタ６８の交換時等にこの開口部７１から写真撮影装置６６内部へ水等が侵入するのを防止できる。また、その他の効果は第１の実施の形態と同様である。
【００５６】
（第５の実施の形態）
次に本発明の第５の実施の形態を説明する。本実施の形態は第４の実施の形態と同様に開口部７１を開閉する遮蔽手段を設けたものである。図１８（Ａ）に示すように遮蔽板８５は素材が、例えばＣＲゴムから成る弾性板で形成され、トップテーブルの７０の開口部７１の近傍に一端が固定部材１２０で固定されている。
【００５７】
そして、写真撮影アダプタを取り付ける時には、図１８（Ｂ）の２点鎖線で示すように遮蔽板８５をめくり上げるような操作を行うことにより、遮蔽板８５をその弾性により屈曲させて取り付ける。また、取り外し時は遮蔽板８５の素材の弾性により遮蔽板８５が開口７１を覆うようになる。その他は第１の実施の形態と同様の構成である。
【００５８】
本実施の形態は第４の実施の形態とほぼ同様の効果を有する。
なお、素材が例えばＣＲゴムから成る上記遮蔽板８５の代わりに、素材が樹脂（ポリカーボネイト等）又は金属（ＳＵＳ等）の屈曲できるバネ性（弾性）を有する材質の板により遮蔽板を形成したものでも良く、この場合にも上記第５の実施の形態とほぼ同様の効果を有する。
【００５９】
（第６の実施の形態）
次に本発明の第６の実施の形態を説明する。本実施の形態は第４の実施の形態と同様に開口部７１を開閉する遮蔽手段を設けたものであり、第５の実施の形態を変形した構造となっている。
【００６０】
図１９に示すようにトップテーブル７０の開口部７１付近には遮蔽板１２１が固定部材１２０で固定されている。この遮蔽板１２１は開口部７１を覆う遮蔽板本体１２２と、この遮蔽板本体１２２の一端と接続され、他端が固定部材１２０に取り付けられ、屈曲自在の弾性を有するバネ部材１２３とから構成されている。
【００６１】
そして、写真撮影アダプタを取り付ける時には、２点鎖線で示すようにバネ部材１２３を屈曲させることにより取り付け、取り外し時はバネ部材１２３の弾性により遮蔽板本体１２２が開口７１を覆うようになっている。その他は第１の実施の形態と同様の構成である。
本実施の形態は第５の実施の形態とほぼ同様の効果を有する。
【００６２】
（第７の実施の形態）
次に本発明の第７の実施の形態を説明する。本実施の形態は第４の実施の形態と同様に開口部７１を開閉する遮蔽手段を設けたものである。図２０に示すようにユニット本体２に内蔵した写真撮影装置６６には、その撮影をするカメラ６７を含む写真撮影アダプタ６８が取り付く接続マウント部６９が設けてある。
【００６３】
ユニット本体２のトップテーブル７０には写真撮影アダプタ６８を接続するたの開口部７１が設けられており、写真撮影アダプタ６８にはトップテーブル７０と写真撮影装置６６の隙間をなくす接続アダプタ８６が接続されている。
【００６４】
そして、写真撮影アダプタ接続用開口部７１を以下のように遮蔽板９０で開閉する構造にして写真撮影アダプタ６８の交換時に開口部７１から写真撮影装置６６内部への水等の侵入を防止できるようにしている。
つまり、接続アダプタ８６は底面に反射板８７を有し、トップテーブル７０にはその反射板８７に対応する位置にフォトリフレクタから成る検知手段８８が設けてあり、トップテーブル７０に接続アダプタ８６を正常に載置すると、フォトリフレクタの発光素子の光が反射板８７で反射してフォトリフレクタの受光素子で受光できるようにして、非接触式或いは光学式の検知手段を形成している。
【００６５】
図２１に示すようにトップテーブル７０にはガイドレール８９が設けられており、遮蔽板９０はその間を摺動できるようになっている。遮蔽板９０には開口が設けられ、その開口内の側壁に歯車部を設けてラック９１を形成し、このラック９１の歯車部に噛合する歯車９２はモータ９３に接続されている。
【００６６】
遮蔽板９０近傍には、この遮蔽板９０を開けるための図示しないスイッチがある。又、前記モータ９３近傍には、前記スイッチ及び前記検知手段８８の検知信号に対応しモータ９３に電源を供給して制御を行う図示していない制御基板と電源供給装置を設けるようにしている。
【００６７】
写真撮影アダプタ６８と接続アダプタ８６を接続するには、図示しない遮蔽板９０の開放用スイッチを押し、押している間だけ図示しない制御基板を介し電源供給装置よりモータ９３に電源が供給され、モータ９３の歯車９２が回転しラック９１により遮蔽板９０がガイドレール８９内を摺動し、この遮蔽板９０の移動により開口部７１が開くことにより（両アダプタの接続を）行うことできる。なお、モータ９３はユニット本体２に固定されている。その他の構成は第１の実施の形態と同様の構成である。
【００６８】
接続アダプタ８６がトップテーブル７０に挿入されるとフォトリフレクタから出射された光が接続アダプタ８６の反射板８７に反射しフォトリフレクタに戻ることにより接続アダプタ８６の接続を検知する。
【００６９】
写真撮影アダプタ６８を取り外すと、接続アダプタ８６がトップテーブル７０より離れる。反射板８７が離れるとフォトリフレクタによる検知手段８８が離脱を検知し、図示しない制御基板を介し電源供給装置よりモータ９３に電源を供給し、モータ９３の歯車９２を回転し、ラック９１により遮蔽板９０がガイドレール８９内を摺動し、開口部７１を閉じることができる。本実施の形態は第５の実施の形態とほぼ同様の効果を有する。
【００７０】
なお、接続アダプタ８６の検知手段として、反射板８７とフォトリフレクタの代わりにマイクロスイッチを用いたもので接触式の検知手段を構成しても良く、この場合も上記第７の実施の形態とほぼ同様の効果を有する。
【００７１】
（第８の実施の形態）
次に本発明の第８の実施の形態を説明する。本実施の形態は第４の実施の形態と同様に開口部７１を開閉する遮蔽手段を設けたものである。図２２に示すように遮蔽板９４にはその周縁部に回転軸９５が設けてあり、この回転軸９５はトップテーブル７０上の開口部７１近くに設けられた軸受け部９６で回転自在に支持され、この回転軸９５を中心に回動するように取り付けられている。
【００７２】
この回転軸９５には歯車部９５Ａが取り付けてあり、この歯車部９５Ａはモータ９７の回転軸９７Ａに取り付けた歯車９８と噛合し、モータ９７の回転軸９７Ａが回動することにより回転軸９５が回転し、遮蔽板９４が開閉できるようになっている。その他の構成は第１の実施の形態と同様の構成である。
本実施の形態は第５の実施の形態とほぼ同様の効果を有する。
【００７３】
（第９の実施の形態）
次に本発明の第９の実施の形態を図２３を参照して説明する。本実施の形態は、例えば図１０及び図１１に示す第１の実施の形態における遮蔽板７３の先端部に柔らかいゴム部材１１３を設けて衝撃吸収手段を形成しており、遮蔽板７３が閉じ、トップカバー７０と接触する時或いは接続アダプタ７２の開口と接触する時等に、その衝撃を吸収できるようになっている。その他の構成及び効果は第１の実施の形態と同様である。
【００７４】
（第１０の実施の形態）
次に本発明の第１０の実施の形態を図２４を参照して説明する。本実施の形態は、例えば図１０及び図１１に示す第１の実施の形態における遮蔽板７３の開閉機構にさらに以下の機構が付加されている。
【００７５】
図２４に示すように遮蔽板７３を閉じるための中継部材７７はその後方に設けられた低荷重ばね１１６のワイヤ１１７で後方に引かれており、遮蔽板７３が閉じる時、そのスピードを減速するようになっている。
【００７６】
本実施の形態によれば、写真撮影アダプタを外す際に誤って開口部７１に指をおき、閉じてくる遮蔽板７３に指をはさまれても、遮蔽板７３の閉じるスピードを減速するか、遮蔽板７３自身が衝撃を吸収することにより、使用者に危害を加えるのを防止できる。その他は第１の実施の形態と同様の効果を有する。
【００７７】
（第１１の実施の形態）
次に本発明の第１１の実施の形態を図２５を参照して説明する。本実施の形態は、例えば図１０及び図１１に示す第１の実施の形態における遮蔽板７３の開閉機構にさらに以下の機構が付加されている。
【００７８】
図２５に示すように遮蔽板７３を閉じるための中継部材７７の前方にはダンパ１２０が設けてある。ダンパ１２０は遮蔽板７３が閉じきる寸前に、先端の緩衝部材１１９が接するように位置し、閉じる際の衝撃力を吸収して閉じさせるようになっている。
【００７９】
このような構成により第１０の実施の形態と同様の効果を有する。
【００８０】
（第１２の実施の形態）
次に本発明の第１２の実施の形態を図２６を参照して説明する。本実施の形態は、例えば図１２に示す第１の実施の形態における吸引ボトル２６の収納機構が一部異なる。つまり、本実施の形態では、図２６（Ａ）に示すように受け皿１０４には筒状のフランジ１０５が設けて有り、吸引ボトル２６の底部が納まるようになっている。その他は第１の実施の形態と同様の構成である。
【００８１】
このような構成により吸引ボトルの液量検知ユニット１０１の受け皿１０４への位置決めが容易にでき、接続チューブによる影響や吸引中の振動による吸引ボトルの位置ずれを防止でき、正確な液量検知をすることができる。
【００８２】
又、図２６（Ｂ）に示す第１の変形例では受け皿１０６には複数の凸部１０７が円状に配設されており、その中に吸引ボトル２６の底部が納まるようになっている。
【００８３】
又、図２６（Ｃ）に示す第２の変形例では底面に凹部１０８を有する吸引ボトル１０９とその凹部に合致する凸部１１０を有する受け皿１１１との組み合わせた構造となっている。これらの変形例も第１２の実施の形態と同様の効果を有する。
【００８４】
（第１３の実施の形態）
次に本発明の第１３の実施の形態を図２７及び図２８を参照して説明する。本実施の形態は、例えば第１の実施の形態における図１或いは図３のモニタスタンド４の上部の回転モニタ台４ａに適用できるものである。
【００８５】
そして、モニタとを組み合わせることにより、本実施の形態の回転式モニタが構成される。図２７は斜視図を、図２８は断面図を示している。本実施の形態は回転軸部材及びベース部材の切り欠きによって指を挟まれないようにし、ケーブルに触ることができないようなモニタ回転部を有する回転式モニタを提供することを目的とする。
【００８６】
本実施の形態の回転式モニタは図２７に示すように回転軸１４１、軸押さえ１４２、ベース１４３、カバー１４４、カバー１４５、ケーブル１４６、モニタ（図示せず）とから構成される。ベース１４３に回転軸１４１が乗っており、その縁部１５１を軸押さえ１４２で押さえ、軸押さえ１４２はベース１４３に固定されている。
【００８７】
そのため、回転軸１４１は回転性を有し、且つベース１４３に固定されていることになる。回転軸１４１上にはモニタが固定されている。モニタの電源、通信等のケーブル１４６を通すため、回転軸１４１及び軸押さえ１４２は切り欠き１５２を有する。切り欠き１５２をおおうために、カバー１４４が回転軸１４１に、カバー１４５がベース１４３に、それぞれ固定されている。その他は第１の実施の形態と同様の構成である。
【００８８】
ケーブル１４６をセットしやすくするために切り欠いた部分を組み立て後にカバー１４５でふさぐことにより、切り欠き部で指を挟む危険性を解消出来る効果がある。
また、外部からケーブル１４６が見えなくなり、さわることもできなくなり、安全性が高まる。その他は第１の実施の形態と同様の効果を有する。
【００８９】
（第１４の実施の形態）
次に本発明の第１４の実施の形態を図２９及び図３０を参照して説明する。本実施の形態の目的は第１３の実施の形態と同じである。さらに２つあったカバーを一体化することで組み立て性を向上させた回転式モニタを提供することを目的とする。
【００９０】
図２９は本実施の形態の回転式モニタを斜視図で、図３０は断面図で示している。本実施の形態は第１３の実施の形態で２つあったカバー１４４、１４５を一体化してカバー１４７とし、回転軸１４１に固定する構造にした。
本実施の形態は第１３の実施の形態と同じ効果を有する。さらに部品点数の削減により、組み立て性の向上、原価低減に役立つ。
【００９１】
なお、例えば第１の実施の形態においては、ユニット本体２側の装置とモニタスタンド４側の装置とを複数のケーブルを収納してユニット化したケーブルユニット２７により接続しているが、例えば複数の信号をそれぞれ異なる周波数で変調して１本のケーブルで複数の信号を伝送し、ユニット本体２側の装置及びモニタスタンド４側の装置に復調手段を設けるようにして１本のケーブルで複数の信号を伝送する多重伝送手段を形成することにより、ユニットケーブル内のケーブルの本数を削減しても良い。
【００９２】
このようにすると、より接続及び取り外しの作業が簡単になり、かつ誤接続もより少なくできる。この場合、多重化の程度を多くすると、ケーブルユニット内のケーブルとしては電源を伝送するケーブルと、１本の同軸信号伝送ケーブルにすることもできる。また、電源を１本の同軸ケーブル或いは１対のケーブルで伝送し、かつこのケーブルで多重化して信号を伝送するようにすれば、１本の同軸ケーブル或いは１対のケーブルで済むようにすることもできる。
【００９３】
また、光を伝送する光ファイバ（或いは光ケーブル）により信号を多重化するなどして伝送するようにしても良く、電源を伝送する電気ケーブルと信号を伝送する光ケーブルとを組み合わせても良い。また、信号で変調などした赤外線を光ファイバを介することなく、ユニット本体２とモニタスタンド４との対向する位置で送受して信号を伝送するようにしても良い。
なお、上述した各実施の形態などを部分的などで組み合わせた実施の形態なども本発明に属する。
【００９４】
［付記］
１．内視鏡と、複数の周辺装置と、前記複数の周辺装置を集中的に制御する集中制御手段とを有する内視鏡装置において、
集中制御装置と周辺装置及び周辺装置相互を接続する複数の配線を前記内視鏡装置に対しユニットで組み込み可能な配線ユニットを有する内視鏡装置。
２．前記配線ユニットが持ち運び用取っ手を有する付記１の内視鏡装置。
３．前記配線ユニットを収納する収納部が設置する床面との間に防水構造を有する付記１記載の内視鏡装置。
【００９５】
４．前記防水構造が収納部カバーとそれに独立したパッキン部材とで構成される付記３記載の内視鏡装置。
５．前記内視鏡装置が患者診察用ベッドを有し、そのベッドがＸ線透過領域を有する付記１記載の内視鏡装置。
６．前記Ｘ線透過領域がＸ線透過部材から成る付記５記載の内視鏡装置。
【００９６】
７．前記Ｘ線透過領域がＸ線透過用開口部である付記５記載の内視鏡装置。
８．前記ベッドは、スイッチにより上下、前後方向に移動する電動ベッドであり移動範囲をプログラム的に制限を設定できることを特徴とする付記１記載の内視鏡装置。
【００９７】
（付記５〜８の産業上の利用分野）
本発明は、内視鏡の複数の周辺装置とこれら複数の周辺装置を集中的に制御する集中制御手段と医療用ベッドを有する内視鏡装置の特に、医療用ベッドに関する。
【００９８】
（付記５〜８の従来の技術）
医療用分野において、内視鏡を用いて診断あるいは治療・処置を行う場合、内視鏡検査に必要な内視鏡、光源装置など各種装置をラックなどにひとまとめにして内視鏡装置を構成していた。
近年、ドクタが主に操作する各種装置や、ナースが操作する各種装置をそれぞれユニット化し、それらを一カ所に集約して各装置の制御を行い、診断及び操作性を向上させた内視鏡システムがある。
この様な内視鏡装置ではドクタの近傍に配置されているスイッチを操作することにより上下、前後方向に移動する電動ベッドが患者用ベッドとして使用されている。
このベッドを上下、前後方向に移動させることにより、上部、下部両方の検査を行っている。
【００９９】
（付記５〜８の発明が解決しようとする課題）
しかしながら、この電動ベッドは通常のマットレスを使用しているため、下部検査の際、Ｘ線透過装置で内視鏡の位置を確認しようとしても、マットレス内のスプリングやベッドフレームが邪魔になり、内視鏡像の確認が困難だった。
また、電動ベッドは上下、前後に電気的にスイッチを操作することにより動かすことができるが、その動きの制限は、通常メカ的に動作可能な範囲まで、動かすことができるが、使用状況に因っては、その動きを制限した方が安全性上もしくは使い易さとしても有効な場合があった。
【０１００】
本発明は上記事情を鑑みてなされたものであり、Ｘ線撮影装置使用時の内視鏡像の視認性が改善された内視鏡装置を提供すること、また、使用条件や、安全性によりベッドの動作範囲を制限することのできる内視鏡装置を提供することを目的としている。
【０１０１】
（付記５〜８の課題を解決するための手段）
本発明の内視鏡装置は、内視鏡と複数の周辺装置とこれら複数の周辺装置を集中的に制御する集中制御手段と患者用ベッドを有する内視鏡装置であって、前記患者用ベッドにＸ線透過領域を設けている。
また、電動ベッドの動作範囲をプログラム的に制限することを可能としている。
【０１０２】
９．写真撮影装置と、それに対し着脱自在な写真撮影アダプタを有し、前記写真撮影アダプタの取り外し時に前記写真撮影装置の開口部を遮蔽する手段を有する付記１記載の内視鏡装置。
１０．前記開口部の遮蔽が前記写真撮影アダプタが取り外されると同時に行われる付記９の内視鏡装置。
１１．前記遮蔽板の遮蔽が弾性部材の復原力による付記９の内視鏡装置。
【０１０３】
１２．前記弾性部材がゴム部材ないしバネ部材である付記１１の内視鏡装置。    １３．前記遮蔽板の遮蔽が電動で行われる付記９の内視鏡装置。
１４．前記遮蔽板の少なくとも１部が弾性部材から成る付記９の内視鏡装置。
【０１０４】
１５．前記弾性部材がバネ部材ないしゴム部材である付記１４の内視鏡装置。    １６．写真撮影アダプタがはずれたことを検知する検知手段を有する付記９の内視鏡装置。
１７．前記検知手段が接触式検知手段である付記１６の内視鏡装置。
１８．前記検知手段が非接触式検知手段である付記１６の内視鏡装置。
１９．前記非接触式検知手段が光学式検知手段である付記１８の内視鏡装置。
【０１０５】
（付記９〜１９の産業上の利用分野）
本発明は、内視鏡と複数の周辺装置とこれら複数の周辺装置を集中的に制御する集中制御手段を有する内視鏡装置の特に、内蔵されている写真撮影装置とそれに着脱自在な写真撮影アダプタの取付け部に関する。
【０１０６】
（付記９〜１９の従来の技術）
医療用分野において、内視鏡を用いて診断あるいは治療・処置を行う場合、内視鏡検査に必要な内視鏡、光源装置など各種装置をラックなどにひとまとめにして内視鏡装置を構成していた。
近年、ドクタが主に操作する各種装置や、ナースが操作する各種装置をそれぞれユニット化し、それらを一カ所に集約して各装置の制御を行い、診断及び操作性を向上させた内視鏡システムがある。
このような内視鏡装置には内視鏡で得られる画像を撮影するための内視鏡画像を映し出すモニタとそれを写真にとるカメラとで構成された写真撮影装置が内蔵され、写真撮影装置にカメラはアダプタを介し接続されている。
【０１０７】
（付記９〜１９の発明が解決しようとする課題）
しかしながら、カメラの接続部は内視鏡装置のトップテーブル上にあるので、ナースが検査中誤って水等をかけることがあった。カメラ交換時には接続部の開口が露出してしまうので、カメラ未接続時には写真撮影装置本体に水等が入ることがあった。
本発明は上記事情を鑑みてなされたもので、カメラ未接続時でも検査装置内への水の浸入を防ぐことができ、安全性の高い内視鏡装置を提供することを目的としている。
【０１０８】
（付記９〜１９の課題を解決するための手段）
本発明の内視鏡装置は、内視鏡と複数の周辺装置とこれら複数の周辺装置を集中的に制御する集中制御手段と写真撮影装置とそれに着脱自在なカメラを有する内視鏡装置であって、前記カメラ取り外し時に写真撮影装置開口部を覆う、遮蔽手段を設けている。
【０１０９】
２０．前記遮蔽板が衝撃吸収部材を有する付記９の内視鏡装置。
２１．前記衝撃吸収部材がゴム部材である付記２０の内視鏡装置。
２２．前記衝撃吸収部材がばね部材である付記２０の内視鏡装置。
２３．前記衝撃吸収部材が空気ダンパーである付記２０の内視鏡装置。
【０１１０】
（付記２０〜２３の産業上の利用分野）
本発明は、内視鏡と複数の周辺装置とこれら複数の周辺装置を集中的に制御する集中制御手段を有する内視鏡装置の特に、内蔵されている写真撮影装置とそれに着脱自在な写真撮影アダプタの取付け部に関する。
【０１１１】
（付記２０〜２３の従来の技術）
医療用分野において、内視鏡を用いて診断あるいは治療・処置を行う場合、内視鏡検査に必要な内視鏡、光源装置など各種装置をラックなどにひとまとめにして内視鏡装置を構成していた。
近年、ドクタが主に操作する各種装置や、ナースが操作する各種装置をそれぞれユニット化し、それら一カ所に集約して各装置の制御を行い、診断及び操作性を向上させた内視鏡システムがある。
このような内視鏡装置には内視鏡で得られる画像を撮影するための内視鏡画像を映し出すモニタとそれを写真にとるカメラとで構成された写真撮影装置が内蔵され、写真撮影装置にカメラはアダプタを介して接続され、カメラ未接続時には検査装置本体への水等の浸入を防ぐためのカバーが閉じて、写真撮影装置部の開口部を覆うようになっている。
【０１１２】
（付記２０〜２３の発明が解決しようとする課題）
しかしながら、前記カバーはカメラを外したときに瞬時に閉じなければならなく、閉じる時には勢いよく閉じるようになっているので、カメラを取り外す際、指を開口部においたままだと閉じてきたカバーに指を挟まれることがあった。    本発明は上記事情を鑑みてなされるもので、カバーが閉じてきても指にダメージを与えない、安全性の高い内視鏡装置を提供することを目的としている。
（付記２０〜２３の課題を解決するための手段）
本発明の内視鏡装置は、内視鏡の複数の周辺装置とこれら複数の周辺装置を集中的に制御する集中制御手段と写真撮影装置とそれに着脱自在なカメラを有し、前記カメラ取り外し時に写真撮影装置開口部を覆う、遮蔽手段を有する内視鏡装置であって、前記遮蔽手段に遮蔽板の閉じる際の勢いを吸収する手段を設けている。
【０１１３】
２４．前記内視鏡装置が吸引用ボトルとそのボトルに吸引した液量を検知するユニットと液量を検知するためにボトルを載せる受け部材を有し、前記受け部材と前記ボトルとの位置決め構造を有する付記１の内視鏡装置。
２５．前記受け部材が前記吸引ボトル位置決め用凹部を有する付記２４の内視鏡装置。
２６．前記受け部材が前記吸引ボトル位置決め用凸部を有する付記２４の内視鏡装置。
【０１１４】
（付記２４〜２６の産業上の利用分野）
本発明は、内視鏡の複数の周辺装置とこれら複数の周辺装置を集中的に制御する集中制御手段を有する内視鏡装置の特に、内蔵されている吸引ユニットに関する。
【０１１５】
（付記２４〜２６の従来の技術）
医療用分野において、内視鏡を用いて診断あるいは治療・処置を行う場合、内視鏡検査に必要な内視鏡、光源装置など各種装置をラックなどにひとまとめにして内視鏡装置を構成していた。
近年、ドクタが主に操作する各種装置や、ナースが操作する各種装置をそれぞれユニット化し、それらを一カ所に集約して各装置を行い、診断及び操作性を向上させた内視鏡システムがある。
この様な内視鏡装置は患者体内の水や汚物を吸引するための吸引ポンプが内蔵されており、装置内にセットされた吸引ボトルに内視鏡を介し水や汚物を吸引できるように、さらに、その吸引量を測定し吸引ボトルの満杯を告知できるようになっている。
【０１１６】
（付記２４〜２６の発明が解決しようする課題）
しかしながら、前記吸引ボトルは吸引量測定ユニットの受け皿にただ単に載っているだけなので、接続チューブのテンションや吸引時の振動等でボトルが傾いたり、位置ずれをおこしたりして、吸引量が正確に測定出来ないことがあった。
本発明は上記事情に鑑みてなされたもので、吸引ボトルが常に吸引量測定ユニットの受け皿中心に位置し、吸引量の測定が正確な内視鏡装置に提供することを目的としている。
【０１１７】
（付記２４〜２６の課題を解決するための手段）
本発明の内視鏡装置は、内視鏡と複数の周辺装置とこれら複数の周辺装置を集中的に制御する集中制御手段と吸引ポンプと吸引ボトルへの吸引量を検知する内視鏡装置であって、前記吸引検知手段に吸引ボトルの位置決め手段を設けている。
【０１１８】
２７．回転機構を有するベース部材に固定されている回転式モニタにおいて、前記モニタをベース部材に組立てる際に必要となる、前記モニタのケーブル組み込み用の切り欠きをおおうカバーを有することを特徴とする回転式モニタ。
２８．回転機構を有するベース部材に固定されている回転式モニタにおいて、前記モニタをベース部材に組立てる際に必要となる、前記モニタのケーブル組み込み用の切り欠きをおおうカバーを有し、前記カバーが回転機構に固定されていることを特徴とする回転式モニタ。
【０１１９】
２９．少なくとも回転式観察用モニタを備える内視鏡システム上の、回転機構を有するベース部材に固定されている回転式モニタにおいて、前記モニタをベース部材に組立てる際に必要となる、前記モニタのケーブル組み込み用の切り欠きをおおうカバーを有することを特徴とする回転式モニタ。
３０．少なくとも回転式観察用モニタを備える内視鏡システム上の、回転機構を有するベース部材に固定されている回転式モニタにおいて、前記モニタをベース部材に組み立てる際に必要となる、前記モニタのケーブル組み込み用の切り欠きをおおうカバーを有し、前記カバーが回転機構に固定されていることを特徴とする回転式モニタ。
【０１２０】
（付記２７〜３０の従来の技術）
従来、回転式モニタの回転軸部材及びベース部材には、モニタの組み立て、交換時に、配線がしやすいように切り欠きを設けてある。
（付記２７〜３０の発明が解決しようする課題）
前記切り欠きによって、回転軸部材とベース部材の間で指を挟む危険性があった。また、切り欠き部分を通るケーブルに触ることができてしまうため、安全性を重視する医療機器においては危険性を伴っていた。
本発明は上記事情に鑑みてなされたもので、前記切り欠きで指を挟むことがなく、切り欠きを通るケーブルにも触ることができず、安全性の高い回転式モニタを提供することを目的とする。
【０１２１】
（付記２７〜３０の課題を解決するための手段）
前記回転軸及びベース部の切り欠きにカバーをして、指を挟む危険性、ケーブルに触る危険性を解消する。
【０１２２】
（付記２７〜３０の効果）
回転式モニタの回転部ケーブル配線性向上のために設けた切り欠きにカバーを設けることにより、指を挟む危険性を排除できる。
また、ケーブルを隠すことができるため、安全性を高めることができる。
【０１２３】
【発明の効果】
以上説明したように本発明によれば、内視鏡と、複数の周辺装置と、前記複数の周辺装置を集中的に制御する集中制御手段とを有する内視鏡装置において、
集中制御装置と周辺装置及び周辺装置相互を接続する複数の配線を前記内視鏡装置に対しユニットで組み込み可能な配線ユニットを設けているので、簡単に配線を行うことができるし、誤接続を少なくできる。また、移動して設置することもし易い。
【図面の簡単な説明】
【図１】本発明の第１の実施の形態の内視鏡装置の全体構成を示す斜視図。
【図２】照明灯の構成を示す図。
【図３】モニタスタンド内の収納物を示す斜視図。
【図４】モニタスタンドの背面側からベッド台座を含む内視鏡装置を見た斜視図。
【図５】カバーを外してモニタスタンドの背面側からベッド台座を含む内視鏡装置を見た斜視図。
【図６】ユニット本体とモニタスタンドとを接続するケーブルユニットの構造を示す平面図などで示す図。
【図７】２つのカバーの接続部の構造を示す断面図。
【図８】ベッド台座のスロープと床面との間の構造を示す断面図。
【図９】ベッドの構成を示す斜視図。
【図１０】写真撮影装置の写真撮影用開口部周辺の構造を示す断面図。
【図１１】写真撮影用開口部を遮光板で開閉する機構を示す図。
【図１２】吸引ボトルが載置される受け皿を示す図。
【図１３】本発明の第２の実施の形態におけるベッドの構成を示す斜視図。
【図１４】本発明の第３の実施の形態におけるベッドの構成を示す斜視図。
【図１５】ベッドの移動範囲を制御する制御手段の構成を示すブロック図。
【図１６】本発明の第４の実施の形態における写真撮影装置の写真撮影用開口部周辺の構造を示す断面図。
【図１７】写真撮影用開口部を遮光板で開閉する機構を示す図。
【図１８】本発明の第５の実施の形態における写真撮影用開口部を遮光板で開閉する機構を示す図。
【図１９】本発明の第６の実施の形態における写真撮影用開口部を遮光板で開閉する機構を示す図。
【図２０】本発明の第７の実施の形態における写真撮影装置の写真撮影用開口部付近の構造を示す断面図。
【図２１】写真撮影用開口部を遮蔽板で開閉する機構を示す斜視図。
【図２２】本発明の第８の実施の形態における写真撮影用開口部を遮光板で開閉する機構を示す図。
【図２３】本発明の第９の実施の形態における写真撮影用開口部を開閉する遮光部材を示す図。
【図２４】本発明の第１０の実施の形態における写真撮影用開口部を遮光板で開閉する機構を示す図。
【図２５】本発明の第１１の実施の形態における写真撮影用開口部を遮光板で開閉する機構を示す図。
【図２６】本発明の第１２の実施の形態及びその変形例における吸引ボトルの載置手段を示す図。
【図２７】本発明の第１３の実施の形態における回転モニタ台の構造を示す斜視図。
【図２８】回転モニタ台の構造を示す断面図。
【図２９】本発明の第１４の実施の形態における回転モニタ台の構造を示す斜視図。
【図３０】回転モニタ台の構造を示す断面図。
【符号の説明】
１…内視鏡装置
２…ユニット本体
３…ベッド
４…モニタスタンド
５…メインモニタ
６…ベッド台座
７…患者用モニタ
８…内視鏡
９…内視鏡ハンガ
１０…集中操作部
２２…ＬＥＤ表示器
２６…吸引ボトル
２７…ケーブルユニット（配線ユニット）
２７ａ〜２７ｅ…ケーブル
２８、２９…総合コネクタ部
２８ａ〜２８ｅ，２９ａ〜２９ｅ…コネクタ
３１，３２…中継コネクタ
３３…チューブ
３５…フレーム
３６…ベース部材
３７ａ〜３７ｅ，３８…ダクト
３９，４３…取っ手
【図１】
0003556367.tif 000002
【図２】
0003556367.tif 000003
【図３】
0003556367.tif 000004
【図４】
0003556367.tif 000005
【図５】
0003556367.tif 000006
【図６】
0003556367.tif 000007
【図７】
0003556367.tif 000008
【図８】
0003556367.tif 000009
【図９】
0003556367.tif 000010
【図１０】
0003556367.tif 000011
【図１１】
0003556367.tif 000012
【図１２】
0003556367.tif 000013
【図１３】
0003556367.tif 000014
【図１４】
0003556367.tif 000015
【図１５】
0003556367.tif 000016
【図１６】
0003556367.tif 000017
【図１７】
0003556367.tif 000018
【図１８】
0003556367.tif 000019
【図１９】
0003556367.tif 000020
【図２０】
0003556367.tif 000021
【図２１】
0003556367.tif 000022
【図２２】
0003556367.tif 000023
【図２３】
0003556367.tif 000024
【図２４】
0003556367.tif 000025
【図２５】
0003556367.tif 000026
【図２６】
0003556367.tif 000027
【図２７】
0003556367.tif 000028
【図２８】
0003556367.tif 000029
【図２９】
0003556367.tif 000030
【図３０】
0003556367.tif 000031